(57)【要約】【課題】自動販売機では、待機状態で商品購入者に釣銭切れを知らしめているため、釣銭が必要な販売であるかないかに関わらず表示することになり、商品購入者にとっては非常にわかりにくいという課題がある。【解決手段】釣銭切れにより販売できないことを示す販売不可表示手段３を設け、商品購入者が販売価格より高額の入金をした時、釣銭切れによって販売できない商品が発生した場合にその旨を表示することにより、釣銭切れにより販売できないことを商品購入者に明確に知らしめることができる。【選択図】図１
2005122356.tif 000002
【特許請求の範囲】
【請求項１】
貨幣の検出や選別を行う硬貨選別装置と、釣銭切れにより販売できないこと表示する販売不可表示手段と、商品販売価格など各種情報を記憶する記憶手段と、前記硬貨選別装置と前記販売不可表示手段と前記記憶手段に接続され自動販売機全体を制御する演算制御部とを備え、前記演算制御部は前記硬貨選別装置から入金の入力があれば前記記憶手段に記憶している商品販売価格と入金金額から商品の販売が可能か判断し、販売価格より入金金額が多くても釣銭切れのために販売できない場合に前記販売不可表示手段により釣銭切れにより販売できないことを表示する自動販売機の制御装置。
【請求項２】
釣銭切れの金種を表示する金種表示手段とを設け、演算制御部は、前記販売不可表示手段により釣銭切れにより販売できないことを表示する時に前記金種表示手段に釣銭切れの金種を表示する請求項１記載の自動販売機の制御装置。
【請求項３】
釣銭切れにより販売できない商品を示す商品表示手段とを設け、演算制御部は、前記販売不可表示手段により釣銭切れにより販売できないことを表示する時に前記商品表示手段に釣銭切れにより販売できない商品を表示する請求項１記載の自動販売機の制御装置。
【請求項４】
発音手段とを設け、演算制御部は、前記販売不可表示手段により釣銭切れにより販売できないことを表示する時に前記発音手段を発音する請求項１記載の自動販売機の制御装置。
【請求項５】
発音手段を発音するかしないかを選択する選択手段とを設け、演算制御部は、前記選択手段により前記発音手段を発音に選択されている場合のみ前記発音手段の発音を行う請求項４記載の自動販売機の制御装置。
【発明の詳細な説明】
【技術分野】
【０００１】
本発明は、自動販売機において釣銭切れが発生した時に、商品購入者に対して釣銭切れにより販売できないことを明確に伝えることができる自動販売機の制御装置に関するものである。
【背景技術】
【０００２】
従来、この種の自動販売機の制御装置は、待機状態において１０円ないしは１００円の釣銭切れを表示することにより商品購入者に伝えており、また、入金した時に販売できない場合は、釣銭切れ表示を点滅させることにより商品購入者に伝えているものもある。（例えば特許文献１参照）。
【特許文献１】特開平７−２９６２２５号公報
【発明の開示】
【発明が解決しようとする課題】
【０００３】
しかしながら、前記従来の構成では、待機状態で商品購入者に釣銭切れを知らしめているため、釣銭が必要な販売であるかないかに関わらず表示することになり、また、入金時に点滅表示したとしても、商品購入者にとっては非常にわかりにくいという課題を有していた。
【０００４】
本発明は、前記従来の課題を解決するもので、釣銭切れにより販売できないことを知らせる必要がある場合のみ、商品購入者に明確に知らせることができる自動販売機の制御装置を提供することを目的とする。
【課題を解決するための手段】
【０００５】
前記従来の課題を解決するために、本発明の自動販売機の制御装置は、釣銭切れにより販売できないことを示す表示手段を設けたものである。
【０００６】
これによって、商品購入者が販売価格より高額の入金をした時、釣銭切れによって販売できない商品が発生した場合にその旨を表示することにより、釣銭切れにより販売できないことを明確に知らしめることができる。
【０００７】
また、本発明の自動販売機の制御装置は、釣銭切れの金種を示すことができる表示手段を設けたものである
これによって、釣銭切れによって販売できない商品が発生したことを表示する時、どの金種が釣銭切れかを表示することにより、商品購入者に釣銭切れの金種を入金すれば販売できるようになることを知らしめることができる。
【０００８】
また、本発明の自動販売機の制御装置は、釣銭切れにより販売できない商品を示すことができる表示手段を設けたものである
これによって、釣銭切れによって販売できない商品が発生したことを表示する時、どの商品が対象であるかを表示することにより、商品購入者は他に販売できる商品を知ることできる。
【０００９】
また、本発明の自動販売機の制御装置は、釣銭切れにより販売できない商品があることを示すことができる発音手段を設けたものである
これによって、釣銭切れによって販売できない商品が発生したことを表示する時、同時に発音することにより、釣銭切れにより販売できないことを商品購入者に明確に知らしめることができる。
【００１０】
また、本発明の自動販売機の制御装置は、釣銭切れにより販売できない商品がある時に発音するかしないかの選択手段を設けたものである
これによって、釣銭切れによって販売できない商品が発生したことを表示する時、同時に発音する場合と発音しない場合を選択できることにより、自動販売機の設置ロケーションに応じた運用を行うことができる。
【発明の効果】
【００１１】
本発明の自動販売機の制御装置は、商品購入者が販売価格より高額の入金をした時、釣銭切れによって販売できない商品が発生した場合にその旨を表示することにより、釣銭切れにより販売できないことを商品購入者に明確に知らしめることができる。
【発明を実施するための最良の形態】
【００１２】
請求項１に記載の発明は、貨幣の検出や選別を行う硬貨選別装置と、釣銭切れにより販売できないこと表示する販売不可表示手段と、商品販売価格など各種情報を記憶する記憶手段と、前記硬貨選別装置と前記販売不可表示手段と前記記憶手段に接続され自動販売機全体を制御する演算制御部とを備え、前記演算制御部は前記硬貨選別装置から入金の入力があれば前記記憶手段に記憶している商品販売価格と入金金額から商品の販売が可能か判断し、販売価格より入金金額が多くても釣銭切れのために販売できない場合に前記販売不可表示手段により釣銭切れにより販売できないことを表示することにより、商品購入者が販売価格より高額の入金をした時、釣銭切れによって販売できない商品が発生した場合にその旨を表示することとなり、釣銭切れにより販売できないことを商品購入者に明確に知らしめることができる。
【００１３】
請求項２に記載の発明は、請求項１に記載の発明に釣銭切れの金種を表示する金種表示手段とを設け、演算制御部は、前記販売不可表示手段により釣銭切れにより販売できないことを表示する時に前記金種表示手段に釣銭切れの金種を表示することにより、釣銭切れによって販売できない商品が発生したことを表示する時、どの金種が釣銭切れかを表示することになり、商品購入者に釣銭切れの金種を入金すれば販売できるようになることを知らしめることができる。
【００１４】
請求項３に記載の発明は、請求項１に記載の発明に釣銭切れにより販売できない商品を示す商品表示手段とを設け、演算制御部は、前記販売不可表示手段により釣銭切れにより販売できないことを表示する時に前記商品表示手段に釣銭切れにより販売できない商品を表示することにより、釣銭切れによって販売できない商品が発生したことを表示する時、どの商品が対象であるかを表示することになり、商品購入者は他に販売できる商品を知ることできる。
【００１５】
請求項４に記載の発明は、請求項１の発明に発音手段とを設け、演算制御部は、前記販売不可表示手段により釣銭切れにより販売できないことを表示する時に前記発音手段を発音することにより、釣銭切れによって販売できない商品が発生したことを表示する時、同時に発音することになり、釣銭切れにより販売できないことを商品購入者に明確に知らしめることができる。
【００１６】
請求項５に記載の発明は、請求項４の発明に発音手段を発音するかしないかを選択する選択手段とを設け、演算制御部は、前記選択手段により前記発音手段を発音に選択されている場合のみ前記発音手段の発音を行うことにより、釣銭切れによって販売できない商品が発生したことを表示する時、同時に発音することになり、釣銭切れによって販売できない商品が発生したことを表示する時、同時に発音する場合と発音しない場合を選択できることにより、自動販売機の設置ロケーションに応じた運用を行うことができる。
【００１７】
以下、本発明の実施の形態について、図面を参照しながら説明する。なお、この実施の形態によって本発明が限定されるものではない。
【００１８】
（実施の形態１）
図１は、本発明の実施の形態１における自動販売機の制御装置のブロック図を示すものである。図２は、同実施の形態の動作を示すフローチャートである。
【００１９】
図１において、演算制御部１ａは、硬貨選別装置２、販売不可表示手段３、記憶手段４との間で入出力を行い各種演算を行う。硬貨選別装置２は、商品購入者が投入した硬貨を識別して金種毎の投入枚数や、釣銭として払い出すことができる金種毎の払い出し可能枚数を出力したり、硬貨の払い出しの入力により指示された硬貨を払い出す装置である。販売不可表示手段３は、「釣銭切れにより販売できません」という文字表示を点灯したり消灯することができる。記憶手段４は、商品販売価格など自動販売機を制御するための各種情報を記憶することができる。
【００２０】
以上のように構成された自動販売機の制御装置について、以下その演算制御部１ａの動作を図２のフローチャートを参照して説明する。
【００２１】
商品購入者が商品を購入するために硬貨を投入すると、硬貨選別装置２は金種毎の投入枚数を演算制御部１ａに出力する（ＳＴＥＰ１）。演算制御部１ａにおいては、釣銭として払い出すことができる金種毎の払い出し可能枚数を硬貨選別装置から入力し（ＳＴＥＰ２）、記憶手段４に記憶している商品の販売価格を取り出し（ＳＴＥＰ３）、商品が販売可能かどうか判定する（ＳＴＥＰ４）。この時、販売価格よりも高額の入金金額があるにも係わらず、釣銭不足により販売できない商品がある場合、販売不可表示手段３に「釣銭切れにより販売できません」という表示を指示する（ＳＴＥＰ５）。
【００２２】
以上のように本実施の形態の自動販売機の制御装置は、演算制御部１ａと、商品購入者が投入した硬貨を識別して金種毎の投入枚数や、釣銭として払い出すことができる金種毎の払い出し可能枚数を出力したり、硬貨の払い出しの入力により指示された硬貨を払い出す硬貨選別装置２と、「釣銭切れにより販売できません」という文字表示を点灯したり消灯する販売不可表示手段３と、商品販売価格など自動販売機を制御するための各種情報を記憶する記憶手段４から構成されているので、商品購入者が販売価格より高額の入金をした時、釣銭切れによって販売できない商品が発生した場合にその旨を表示することとなり、釣銭切れにより販売できないことを商品購入者に明確に知らしめることができる。
【００２３】
（実施の形態２）
図３は、本発明の実施の形態２による自動販売機の制御装置の機能ブロック図である。図４は、同実施の形態の動作を示すフローチャートである。
【００２４】
図３において、演算制御部１ｂは、硬貨選別装置２、販売不可表示手段３、記憶手段４、金種表示手段５との間で入出力を行い各種演算を行う。金種表示手段５は、演算制御部１ｂ接続され、釣銭切れの金種を表示する。本実施の形態は、実施の形態１による自動販売機の制御装置に、さらに金種表示手段５を設けたものである。
【００２５】
以上のように構成された自動販売機の制御装置について、以下その演算制御部１ｂの動作を図４のフローチャートを参照して説明する。なお、実施の形態１と同一の処理については同一番号を付してその詳細な説明は省略する。
【００２６】
販売価格よりも高額の入金金額があるにも係わらず、釣銭不足により販売できない商品がある場合、販売不可表示手段３に「釣銭切れにより販売できません」という表示を指示し（ＳＴＥＰ５）、金種表示手段５に釣銭切れの発生した金種を表示する（ＳＴＥＰ１０）。
【００２７】
以上のように本実施の形態の自動販売機の制御装置は、演算制御部１ｂと、商品購入者が投入した硬貨を識別して金種毎の投入枚数や、釣銭として払い出すことができる金種毎の払い出し可能枚数を出力したり、硬貨の払い出しの入力により指示された硬貨を払い出す硬貨選別装置２と、「釣銭切れにより販売できません」という文字表示を点灯したり消灯する販売不可表示手段３と、商品販売価格など自動販売機を制御するための各種情報を記憶する記憶手段４と、釣銭切れの金種を表示する金種表示手段５から構成されているので、商品購入者が販売価格より高額の入金をした時、釣銭切れによって販売できない商品が発生した場合にその旨と釣銭切れの金種を表示することとなり、釣銭切れにより販売できないことを商品購入者に明確に知らしめ、さらに釣銭切れの金種を投入すれば販売できることを知らしめることができる。
【００２８】
（実施の形態３）
図５は、本発明の実施の形態３による自動販売機の制御装置の機能ブロック図である。図６は、同実施の形態の動作を示すフローチャートである。
【００２９】
図５において、演算制御部１ｃは、硬貨選別装置２、販売不可表示手段３、記憶手段４、商品表示手段６との間で入出力を行い各種演算を行う。商品手段６は、演算制御部１ｃ接続され、釣銭切れにより販売できない商品を表示する。本実施の形態は、実施の形態１による自動販売機の制御装置に、さらに商品表示手段６を設けたものである。
【００３０】
以上のように構成された自動販売機の制御装置について、以下その演算制御部１ｃの動作を図６のフローチャートを参照して説明する。なお、実施の形態１と同一の処理については同一番号を付してその詳細な説明は省略する。
【００３１】
販売価格よりも高額の入金金額があるにも係わらず、釣銭不足により販売できない商品がある場合、販売不可表示手段３に「釣銭切れにより販売できません」という表示を指示し（ＳＴＥＰ５）、商品表示手段６に釣銭切れにより販売することができない商品を表示する（ＳＴＥＰ２０）。
【００３２】
以上のように本実施の形態の自動販売機の制御装置は、演算制御部１ｃと、商品購入者が投入した硬貨を識別して金種毎の投入枚数や、釣銭として払い出すことができる金種毎の払い出し可能枚数を出力したり、硬貨の払い出しの入力により指示された硬貨を払い出す硬貨選別装置２と、「釣銭切れにより販売できません」という文字表示を点灯したり消灯する販売不可表示手段３と、商品販売価格など自動販売機を制御するための各種情報を記憶する記憶手段４と、釣銭切れにより販売できない商品を表示する商品表示手段６から構成されているので、商品購入者が販売価格より高額の入金をした時、釣銭切れによって販売できない商品が発生した場合にその対象商品を表示することとなり、釣銭切れにより販売できない商品を商品購入者に明確に知らしめ、さらに釣銭が必要のない他の商品が販売できることを知らしめることができる。
【００３３】
また、本実施の形態の商品表示手段を商品を選択するためのボタンに対応した売切れランプの点滅により示すことにより、特に、新たな商品表示を設けることなく釣り切れにより販売できない商品を示すことができ、安価に実現することができる。
【００３４】
（実施の形態４）
図７は、本発明の実施の形態４による自動販売機の制御装置の機能ブロック図である。図８は、同実施の形態の動作を示すフローチャートである。
【００３５】
図７において、演算制御部１ｄは、硬貨選別装置２、販売不可表示手段３、記憶手段４、発音手段７との間で入出力を行い各種演算を行う。発音手段７は、演算制御部１ｄ接続され、釣銭切れにより販売できない商品がある時に発音する。本実施の形態は、実施の形態１による自動販売機の制御装置に、さらに発音手段７を設けたものである。
【００３６】
以上のように構成された自動販売機の制御装置について、以下その演算制御部１ｄの動作を図８のフローチャートを参照して説明する。なお、実施の形態１と同一の処理については同一番号を付してその詳細な説明は省略する。
【００３７】
販売価格よりも高額の入金金額があるにも係わらず、釣銭不足により販売できない商品がある場合、販売不可表示手段３に「釣銭切れにより販売できません」という表示を指示し（ＳＴＥＰ５）、発音手段７に発音を指示する（ＳＴＥＰ３０）。
【００３８】
以上のように本実施の形態の自動販売機の制御装置は、演算制御部１ｄと、商品購入者が投入した硬貨を識別して金種毎の投入枚数や、釣銭として払い出すことができる金種毎の払い出し可能枚数を出力したり、硬貨の払い出しの入力により指示された硬貨を払い出す硬貨選別装置２と、「釣銭切れにより販売できません」という文字表示を点灯したり消灯する販売不可表示手段３と、商品販売価格など自動販売機を制御するための各種情報を記憶する記憶手段４と、発音手段７から構成されているので、商品購入者が販売価格より高額の入金をした時、釣銭切れによって販売できない商品が発生した場合にその旨を表示し、さらに発音により示すこととなり、釣銭切れにより販売できないことを商品購入者に明確に知らしめることができる。
【００３９】
（実施の形態５）
図９は、本発明の実施の形態５による自動販売機の制御装置の機能ブロック図である。図１０は、同実施の形態の動作を示すフローチャートである。
【００４０】
図９において、演算制御部１ｅは、硬貨選別装置２、販売不可表示手段３、記憶手段４、発音手段７、選択手段８との間で入出力を行い各種演算を行う。発音手段８は、演算制御部１ｅ接続され、釣銭切れにより販売できない商品がある時に発音するかしないかを選択する。本実施の形態は、実施の形態４による自動販売機の制御装置に、さらに選択手段８を設けたものである。
【００４１】
以上のように構成された自動販売機の制御装置について、以下その演算制御部１ｅの動作を図１０のフローチャートを参照して説明する。なお、実施の形態４と同一の処理については同一番号を付してその詳細な説明は省略する。
【００４２】
販売価格よりも高額の入金金額があるにも係わらず、釣銭不足により販売できない商品がある場合、販売不可表示手段３に「釣銭切れにより販売できません」という表示を指示し（ＳＴＥＰ５）、選択手段８にて発音することが選択されていれば（ＳＴＥＰ４０）、発音手段７に発音を指示する（ＳＴＥＰ３０）。発音されていなければ、発音しない。
【００４３】
以上のように本実施の形態の自動販売機の制御装置は、演算制御部１ｅと、商品購入者が投入した硬貨を識別して金種毎の投入枚数や、釣銭として払い出すことができる金種毎の払い出し可能枚数を出力したり、硬貨の払い出しの入力により指示された硬貨を払い出す硬貨選別装置２と、「釣銭切れにより販売できません」という文字表示を点灯したり消灯する販売不可表示手段３と、商品販売価格など自動販売機を制御するための各種情報を記憶する記憶手段４と、発音手段７と、選択手段８から構成されているので、商品購入者が販売価格より高額の入金をした時、釣銭切れによって販売できない商品が発生した場合にその旨を表示し、さらに発音により示すこととなり、釣銭切れにより販売できないことを商品購入者に明確に知らしめることができ、また、発音するかしないかを選択できることにより、設置ロケーションに応じて発音するかしないかを選択することができる。
【産業上の利用可能性】
【００４４】
以上のように、本発明にかかる自動販売機の制御装置は、商品購入者が硬貨を投入した時に釣銭切れにより販売できないことを明確に知らしめることが可能となるので、自動販売機だけでなく、入金機等の用途にも適用できる。
【図面の簡単な説明】
【００４５】
【図１】本発明による自動販売機の制御装置の実施の形態１のブロック図
【図２】同実施の形態の自動販売機の制御装置の動作を示すフローチャート
【図３】本発明による自動販売機の制御装置の実施の形態２のブロック図
【図４】同実施の形態の自動販売機の制御装置の動作を示すフローチャート
【図５】本発明による自動販売機の制御装置の実施の形態３のブロック図
【図６】同実施の形態の自動販売機の制御装置の動作を示すフローチャート
【図７】本発明による自動販売機の制御装置の実施の形態４のブロック図
【図８】同実施の形態の自動販売機の制御装置の動作を示すフローチャート
【図９】本発明による自動販売機の制御装置の実施の形態５のブロック図
【図１０】同実施の形態の自動販売機の制御装置の動作を示すフローチャート
【符号の説明】
【００４６】
１a、１ｂ、１ｃ、１ｄ、１ｅ    演算制御部
２    硬貨選別装置
３    販売不可表示手段
４    記憶手段
５    金種表示手段
６    商品表示手段
７    発音手段
８    選択手段
【図１】
2005122356.tif 000003
【図２】
2005122356.tif 000004
【図３】
2005122356.tif 000005
【図４】
2005122356.tif 000006
【図５】
2005122356.tif 000007
【図６】
2005122356.tif 000008
【図７】
2005122356.tif 000009
【図８】
2005122356.tif 000010
【図９】
2005122356.tif 000011
【図１０】
2005122356.tif 000012